(57)【特許請求の範囲】
【請求項１】
物体側から像側に順に、負の屈折力の第１レンズ群と、正の屈折力の第２レンズ群と、レンズを有する第３レンズ群とを少なくとも有し、
前記第１レンズ群と前記第２レンズ群との間隔は広角端よりも望遠端の方で狭く、
広角端から望遠端への変倍の際に、前記第２レンズ群と前記第３レンズ群との間隔は変化し、
前記第１レンズ群は、物体側から順に、負の屈折力の前側サブレンズ群と、光路折り曲げ部材と、正の屈折力の後側サブレンズ群からなり、
前記前側サブレンズ群は１つの両凹単レンズからなり、
前記後側サブレンズ群は１つの正レンズのみからなり、
前記前側サブレンズ群の前記両凹単レンズと前記後側サブレンズ群の前記正レンズが共にプラスチックにて構成され、
以下の条件式（５−１）、（７）、（８）、（９）を満足することを特徴とするズームレンズ。
−１＜（ｒ1FNＯ＋ｒ1FNＩ）／（ｒ1FNＯ−ｒ1FNＩ）＜０．５        （５−１）
−０．３＜Ｎ１FN−Ｎ１RP＜０．１９        （８）
１０．５＜ν１FN−ν１RP＜５０            （９）
０．０２＜Ｄ１ＲＰ／Ｄ１Ｇ＜０．３        （７）
ただし、
ｒ1FNＯは、前記前側サブレンズ群の前記両凹単レンズの物体側面の近軸曲率半径、
ｒ1FNＩは、前記前側サブレンズ群の前記両凹単レンズの像側面の近軸曲率半径、
Ｎ１FNは、前記前側サブレンズ群の前記両凹単レンズのd線での屈折率、
Ｎ１RPは、前記後側サブレンズ群の前記正レンズのd線での屈折率、
ν１FNは、前記前側サブレンズ群の前記両凹単レンズのアッベ数、
ν１RPは、前記後側サブレンズ群の前記正レンズのアッベ数、
Ｄ１ＲＰは、前記後側サブレンズ群の前記正レンズの光軸に沿って計った光軸上の厚み、
Ｄ１Ｇは、前記第１レンズ群の光軸に沿って計った光軸上の厚み、
である。
【請求項２】
前記前側サブレンズ群の前記両凹単レンズは、両面が非球面であることを特徴とする請求項１に記載のズームレンズ。
【請求項３】
前記前側サブレンズ群の前記両凹単レンズは、以下の条件式（６）を満足することを特徴とする請求項１または請求項２に記載のズームレンズ。
０．０３＜Ｄ１ＦＮon／Ｄ１ＦＮoff＜０．３１          （６）
ただし、
Ｄ１ＦＮonは、前記前側サブレンズ群の前記両凹単レンズの光軸上での厚み、
Ｄ１ＦＮoffは、前記前側サブレンズ群の前記両凹単レンズの像側面及び物体側面の最大有効径位置での光軸に沿った方向での厚みのうちより大きい厚み、
である。
【請求項４】
前記前側サブレンズ群の前記両凹単レンズと前記後側サブレンズ群の前記正レンズは、両面非球面レンズであることを特徴とする請求項１から請求項３のいずれか１項に記載のズームレンズ。
【請求項５】
ズームレンズと、
該ズームレンズの像側に配置された撮像素子と、
該撮像素子からの信号を処理する画像処理部を有し、
前記ズームレンズが請求項１から請求項４のいずれか１項に記載のズームレンズであることを特徴とする撮像装置。
【発明の詳細な説明】
【技術分野】
【０００１】
本発明は、光路折り曲げ部材を光路中に有するズームレンズ、およびこのズームレンズを備えた撮像装置に関するものである。
【背景技術】
【０００２】
従来、光路中に反射部材を配置して光路を折り曲げることにより、光学系の薄型化を図ったズームレンズが知られている。なかでも、ズームレンズのタイプとして、負の屈折力のレンズ群を最も物体側に配置したタイプ（以下、負先行タイプ）で、なお且つ、その負の屈折力のレンズ群中に反射部材を配置さたせたタイプが知られている。一方で、正の屈折力のレンズ群を最も物体側に配置したタイプ（以下、正先行タイプ）のズームレンズも知られている。
【０００３】
負先行タイプのズームレンズは、正先行タイプのズームレンズと比較して、レンズ群数を低減できるというメリットや、レンズ群の偏心による影響、例えば結像性能の劣化を抑えやすくなるといったメリットを持つ。従来の負先行タイプのズームレンズは、変倍比が３倍程度のものが多いが、最近では、特許文献１のように高変倍比のズームレンズが実現されている。
【先行技術文献】
【特許文献】
【０００４】
【特許文献１】特開２０１０−１６０２７８号公報
【発明の概要】
【発明が解決しようとする課題】
【０００５】
しかしながら、特許文献１に開示されているズームレンズでは、第１レンズ群が、負レンズと、反射部材と、接合レンズで構成されている。ここで、接合レンズは収差補正の面では有効であるが、製造コストの面では不利である（コストの上昇をまねく）。そのため、特許文献１のズームレンズでは、光学性能を維持したままコストを低減する面で不利である。
【０００６】
本発明は、このような課題に鑑み、負先行タイプで、光路中に光路折り曲げ部材を有するズームレンズにおいて、高い光学性能の維持と低コスト化を両立したズームレンズ、及びこのズームレンズを備えた撮像装置を提供することを目的とする。
【課題を解決するための手段】
【０００７】
以下の説明において、第１の発明のズームレンズと第２の発明のズームレンズは参考例である。上記課題を解決するために、本発明の第１のズームレンズは、物体側から像側に順に、負の屈折力の第１レンズ群と、正の屈折力の第２レンズ群と、レンズを有する第３レンズ群とを少なくとも有し、
第１レンズ群と第２レンズ群との間隔は広角端よりも望遠端の方で狭く、
広角端から望遠端への変倍の際に第２レンズ群と第３レンズ群との間隔は変化し、
第１レンズ群は、物体側から順に、負の屈折力の前側サブレンズ群と、光路折り曲げ部材と、正の屈折力の後側サブレンズ群からなり、
前側サブレンズ群は１つの両凹単レンズからなり、
後側サブレンズ群は１つまたは２つの単レンズからなり、後側サブレンズ群の正レンズの総数は１であり、
以下の条件式（１）〜（４）を満足することを特徴とする。
−４＜f１G／fT＜−０．０１          （１）
１．３＜｜β２T／β２W｜＜３０      （２）
０．１＜f１FN／f１G＜１０            （３）
−１６＜f１RP／f１G＜−１．２        （４）
ただし、
f１Gは、第１レンズ群の焦点距離、
fTは、望遠端におけるズームレンズ全系の焦点距離、
β２Tは、望遠端における第２レンズ群の横倍率、
β２Wは、広角端における第２レンズ群の横倍率、
f１FNは、前側サブレンズ群の両凹単レンズの焦点距離、
f１RPは、後側サブレンズ群の正レンズの焦点距離、
である。
【０００８】
第１の発明のズームレンズは負先行タイプのズームレンズであって、光学系の薄型化や小型化に有利な光路折り曲げ部材を光学系中に有している。また、負の屈折力の第１レンズ群と正の屈折力の第２レンズ群が、変倍機能を担っている。このような構成において高変倍比化を達成しようとすると、第１レンズ群と第２レンズ群による変倍能力を確保しておく必要がある。そのためには、第１レンズ群において、負の屈折力をある程度確保することが好ましい。また、コストの面でも、第１レンズ群において低コスト化を実現することが好ましい。
【０００９】
そこで、第１の発明のズームレンズでは、第１レンズ群を、負の屈折力の前側サブレンズ群と、光路折り曲げ部材と、正の屈折力の後側サブレンズ群で構成し、さらに前側サブレンズ群を両凹単レンズで構成している。このようにすることで、第１レンズ群における負の屈折力を確保しつつ、望遠端付近における軸上収差の発生を抑えやすくしている。また、前側サブレンズ群のレンズ枚数は１枚なのでコストの低減もできる。
【００１０】
また、第１の発明のズームレンズでは、後側サブレンズ群を１つまたは２つの単レンズで構成している。そして、前者の場合はその単レンズを正レンズとし、後者の場合は２つのうちの一方の単レンズを正レンズとすることで、第１レンズ群における諸収差の低減を行っている。なお、後者の場合に正レンズを残りの単レンズと接合させると、接合のための製造コストがかかる。そこで、後側サブレンズ群のレンズを単レンズのみで構成することで、コスト低減を実現している。
【００１１】
以上のように、第１の発明のズームレンズでは、第１レンズ群のレンズを全て単レンズとしているので、低コスト化の面で有利となる。
【００１２】
なお、第１の発明のズームレンズでは、後側サブレンズ群において正レンズを単レンズとしている。しかしながら、正レンズの屈折力が大きくなりすぎると、この正レンズが偏心した際、この正レンズで偏心収差が発生しやすくなる。そこで、第１の発明のズームレンズでは、条件式（１）を満足するようにしている。
【００１３】
条件式（１）は、第１レンズ群における負の屈折力について、その好ましい範囲を特定するものである。第１レンズ群の負の屈折力を適切に設定することで、結果として、後側サブレンズ群における正レンズの屈折力も適度な屈折力にすることができる。これにより、第１レンズ群における偏心による影響（偏心収差の発生）を低減すると共に、第１レンズ群で必要とされる変倍機能を確保することができる。
条件式（１）の下限を下回らないようにすることで、第１レンズ群の屈折力が不足する（必要以上に小さくなる）ことを防止できる。その結果、画角の確保や第２レンズ群の変倍機能を確保することができる。
また、条件式（１）の上限を上回らないようにすることで、第１レンズ群の屈折力が過剰になる（必要以上に大きくなる）ことを防止できる。その結果、第１レンズ群において発生する諸収差を低減できる。
【００１４】
条件式（２）は、第２レンズ群における変倍量（変倍比）について、その好ましい範囲を特定するものである。第１レンズ群の屈折力が条件式（１）を満足するようにした状態で、第２レンズ群が条件式（２）を満足することが好ましい。
条件式（２）の下限を下回らないようにすることで、第２レンズ群での変倍量が不足することを防止できる。この場合、第２レンズ群が負担すべき変倍量が確保することができるので、他のレンズ群に負担がかからない。よって、他のレンズ群での諸収差の発生を抑えることができる。
また、条件式（２）の上限を上回らないようにすることで、第２レンズ群の変倍量が過剰になることを抑えることができる。これにより、第２レンズ群の移動量を少なくできるので、必要な変倍比を確保した上で光学系の小型化ができる。
【００１５】
条件式（３）は、前側サブレンズ群の両凹単レンズにおける屈折力について、その好ましい範囲を特定するものである。
条件式（３）の下限を下回らないようにすることで、両凹単レンズの屈折力が過剰になることを防止できる。その結果、両凹単レンズにおける諸収差の発生量を少なくすることができる。
また、条件式（３）の上限を上回らないようにすることで、両凹単レンズの屈折力が不足することを防止できる。前側サブレンズ群は第１レンズ群の負の屈折力の多くを担っているため、第１レンズ群における負の屈折力を確保することができる。
【００１６】
条件式（４）は、後側サブレンズ群の正レンズにおける屈折力について、その好ましい範囲を特定するものである。
条件式（４）の下限を下回らないようにすることで、正レンズの屈折力が不足することを防止できる。この場合、第１レンズ群の負レンズで発生する諸収差を正レンズで補正することができるので、第１レンズ群における諸収差の補正を良好に行うことができる。
また、条件式（４）の上限を上回らないようにすることで、正レンズの屈折力が過剰になることを防止できる。これにより、第１レンズ群全体の負の屈折力が小さくなることを防止できるので、第１レンズ群において適切な負の屈折力を確保できる。
【００１７】
また、第１の発明のズームレンズでは、上記の構成において、前側サブレンズ群の両凹単レンズは両面が非球面であることが好ましい。このようにすると、広角端における軸外収差の発生を抑えやすくなると共に、広角端での高次の像面湾曲を抑えることに有利となる。
【００１８】
また、第１の発明のズームレンズでは、上記の構成において、前側サブレンズ群の両凹単レンズは以下の条件式（５）を満足することが好ましい。
−１＜（ｒ1FNＯ＋ｒ1FNＩ）／（ｒ1FNＯ−ｒ1FNＩ）＜０．７        （５）
ただし、
ｒ1FNＯは、前側サブレンズ群の両凹単レンズの物体側面の近軸曲率半径、
ｒ1FNＩは、前側サブレンズ群の両凹単レンズの像側面の近軸曲率半径、
である。
【００１９】
条件式（５）は、両凹単レンズの形状について、その好ましい範囲を特定するものである。条件式（５）を満足することで、光学系の小型化と性能確保ができる。
条件式（５）の下限を下回らないようにするとことで、両凹形状とし、負パワーを確保しやすくなる。加えて、両凹単レンズの物体側面に入射する軸外主光線の入射角度を小さく抑えることができるので、効率よく軸外収差を抑えることができる。
また、条件式（５）の上限を上回らないようにすることで、入射瞳を浅くする（入射瞳を物体側に位置させる）ことができるので光学系の小型化ができる。
【００２０】
また、第１の発明のズームレンズでは、上記の構成において、前側サブレンズ群の両凹単レンズが以下の条件式（６）を満足することが好ましい。
０．０３＜Ｄ１ＦＮon／Ｄ１ＦＮoff＜０．３１          （６）
ただし、
Ｄ１ＦＮonは、前側サブレンズ群の両凹単レンズの光軸上での厚み、
Ｄ１ＦＮoffは、前側サブレンズ群の両凹単レンズの最大有効径位置での光軸に沿った方向での厚み、
である。
【００２１】
条件式（６）は、両凹単レンズのレンズ厚について、その好ましい範囲を特定するものである。条件式（６）を満足することで、レンズの強度を確保した上で、必要な曲率半径のレンズを得ることができる。
条件式（６）の下限を下回らないようにすることで、両凹単レンズの光軸上の肉厚が薄くなりすぎることを防止できる。この場合、レンズの強度を確保することができるので、製造が容易となる。
また、条件式（６）の上限を上回らないようにすることで、軸上と周辺におけるレンズの厚みの差を大きく保つことができる。これにより、レンズの曲率半径をより小さくすることができるため、低屈折率の硝材を用いてもレンズの屈折力を十分に確保できる。これは、例えば、低屈折率の硝材をレンズに用いたとしても、光線を大きく曲げることができるので広画角化等に有利となる。
【００２２】
また、第１の発明のズームレンズでは、上記の構成において、後側サブレンズ群の正レンズは以下の条件式（７）を満足することが好ましい。
０．０２＜Ｄ１ＲＰ／Ｄ１Ｇ＜０．３        （７）
ただし、
Ｄ１ＲＰは、後側サブレンズ群の正レンズの光軸に沿って計った光軸上の厚み、
Ｄ１Ｇは、第１レンズ群の光軸に沿って計った光軸上の厚み、
である。
【００２３】
条件式（７）は、後側サブレンズ群の正レンズの光軸に沿って計った光軸上の厚みについて、その好ましい範囲を特定するものである。条件式（７）を満足することで、広角端および望遠端における倍率色収差を良好に補正することができる。
条件式（７）の下限を下回らないようにすることで、正レンズの光軸上の肉厚が薄くなりすぎることを防止できる。この場合、レンズの強度を確保することができるので、製造が容易となる。また、レンズの肉厚が確保できていることから、レンズ面の形状を曲率半径の小さい形状とすることができるので、屈折力を確保できる。
また、条件式（７）の上限を上回らないようにすることで、正レンズの光軸上の肉厚が厚くなりすぎることを防止できる。その結果、広角端および望遠端における倍率色収差を効率よく補正することができる。
【００２４】
また、第１の発明のズームレンズでは、上記の構成において、前側サブレンズ群の両凹単レンズと後側サブレンズ群の正レンズが共にプラスチックで構成されることが好ましい。
【００２５】
前側サブレンズ群の両凹単レンズと後側サブレンズ群の正レンズの硝材をプラスチックにすることで、コストを低減することができる。なお、プラスチックはコスト低減の点で有利であるが、温度の変化によってレンズの焦点距離が大きく変化するという点で不利である。しかしながら、上記のように２つのレンズをプラスチックレンズにした場合、前側サブレンズ群のレンズは負レンズで、後側サブレンズ群のレンズは正レンズであるため、温度変化による焦点距離の変化をお互いでキャンセルしあうことができる。よって、コスト低減と光学性能の確保を両立することができる。
【００２６】
また、第１の発明のズームレンズでは、前側サブレンズ群の両凹単レンズと前記後側サブレンズ群の正レンズがプラスチックで構成されている場合、２つのレンズは共に両面非球面レンズであることが好ましい。
【００２７】
前側サブレンズ群の両凹単レンズと後側サブレンズ群の正レンズを両面非球面レンズとすることで、非球面による収差補正機能を物体側面と像側面の双方に持たせることができる。そのため、前側サブレンズ群については、両凹単レンズの屈折力の確保と光学性能の確保の両立に有利となる。特に、広角端での軸外収差を抑えやすくすると共に、広角端での高次の像面湾曲を抑えることに有利となる。また、両凹単レンズの材質がプラスチックであるため、ガラス非球面レンズと比較して非球面の形成が容易となる。さらに、この２つのレンズはプラスチックで構成されているので、コストを低減することができる。
【００２８】
なお、第１の発明のズームレンズでは、前側サブレンズ群の両凹単レンズと後側サブレンズ群の正レンズをプラスチックで構成せずに、ガラスで構成してもよい。
【００２９】
ガラスレンズは、温度変化による焦点距離の変化が起こり難い。そこで、前側サブレンズ群の両凹単レンズと後側サブレンズ群の正レンズをガラスで構成することで、温度の変化があっても焦点距離が大きく変化することを防ぐことができる。また、材料をガラスとすることで、高屈折率な材料を使うことができる。よって、単色収差や色収差の低減を行うことができる。
【００３０】
また、第１の発明のズームレンズでは、上記の構成において、前側サブレンズ群の両凹単レンズと後側サブレンズ群の正レンズが以下の条件式（８）、（９）を満足することが好ましい。
−０．３＜Ｎ１FN−Ｎ１RP＜０．１９        （８）
１０．５＜ν１FN−ν１RP＜５０            （９）
ただし、
Ｎ１FNは、前側サブレンズ群の両凹単レンズのd線での屈折率、
Ｎ１RPは、後側サブレンズ群の正レンズのd線での屈折率、
ν１FNは、前側サブレンズ群の両凹単レンズのアッベ数、
ν１RPは、後側サブレンズ群の正レンズのアッベ数、
である。
【００３１】
条件式（８）は両凹レンズと正レンズの屈折率差について、その好ましい範囲を特定するものである。また、条件式（９）は両凹レンズと正レンズのアッベ数差について、その好ましい範囲を特定するものである。条件式（８）、（９）を満足することで、収差補正、コスト低減、小型化の面で有利となる。
【００３２】
条件式（８)の下限を下回らないようにした状態で、条件式（９）を満たすようにすると、硝材の低コスト化ができる。
また、条件式（８)の上限を上回らないようにすることで、入射瞳位置を浅くすることができるので、光学系の小型化に有利となる。
【００３３】
条件式(９)の下限を下回らないようにすることで、第１レンズ群における色収差の発生を効率よく抑えやすくなる。
また、条件式(９)の上限を上回らないようにすることで、硝材の低コスト化に有利となる。
【００３４】
また、第１の発明のズームレンズでは、後側サブレンズ群は、正レンズのみからなることが好ましい。このようにすると、レンズ枚数を少なくできるので、コスト低減に一層有利となる。
【００３５】
また、第１の発明のズームレンズでは、後側サブレンズ群は、正レンズと負レンズからなり、負レンズは正レンズの像側に配置されていることが好ましい。このようにすると、単色収差や色収差をより良好に補正することができる。
【００３６】
また、第１の発明のズームレンズでは、後側サブレンズ群の正レンズと負レンズに挟まれてなる空気層が正の屈折力をもち、後側サブレンズ群の正レンズと負レンズが以下の条件（１０）を満足すことが好ましい。
−１＜（ｒ１RPI＋ｒ１RNO）／（ｒ１RPI−ｒ１RNO）＜１        （１０）
ただし、
ｒ１RPIは、後側サブレンズ群の正レンズの像側面の近軸曲率半径、
ｒ１RNOは、後側サブレンズ群の負レンズの物体側面の近軸曲率半径、
である。
【００３７】
条件式（１０）は後側サブレンズ群の正レンズと負レンズの間で形成される空気層の形状について、その好ましい形状ファクターを特定するものである。
条件式（１０）の下限を下回らないようにすることで、広角端の像面湾曲を抑えやすくなる。
また、条件式（１０）の上限を上回らないようにすることで、望遠端の色収差を抑えやすくなる。
【００３８】
また、第１の発明のズームレンズでは、後側サブレンズ群の負レンズが以下の条件式（１１）を満足することが好ましい。
０．１＜f１RN／f１G＜１０        （１１）
ただし、
f１RNは、後側サブレンズ群の負レンズの焦点距離、
f１Gは、第１レンズ群の焦点距離、
である。
【００３９】
条件式（１１）は、後側サブレンズ群の負レンズにおける屈折力について、その好ましい範囲を特定するものである。上記のように、第１レンズ群は、前側サブレンズ群の両凹単レンズと後側サブレンズ群の正レンズと負レンズを有する。そのため、第１レンズ群の負の屈折力を、２つの負レンズに適宜分散させることができる。条件式（１１）を満足することで、後側サブレンズ群の負レンズにて適切な負屈折力を確保することができる。すなわち、前側サブレンズ群の両凹単レンズと後側サブレンズ群の負レンズとで、第１レンズ群における負の屈折力をバランス良く負担することができる。その結果、第１レンズ群の負の屈折力の確保した上で、レンズで発生する色収差を、各々のレンズで抑えることができる。
【００４０】
条件式（１１）の下限を下回らないようにすることで、後側サブレンズ群の負レンズの屈折力が過剰になることを防止できる。これにより、後側サブレンズ群の負レンズでの収差補正が行い易くなる。
また、条件式（１１）の上限を上回らないようにすることで、後側サブレンズ群の負レンズの屈折力が不足することを防止できる。これにより、前側サブレンズ群の両凹単レンズにおいて余計な屈折力の負担をしなくて済むので、前側サブレンズ群での収差の発生を抑えることができる。
【００４１】
また、第２の発明のズームレンズは、物体側から像側に順に、負の屈折力の第１レンズ群と、正の屈折力の第２レンズ群と、レンズを有する第３レンズ群とを少なくとも有し、
第１レンズ群と第２レンズ群との間隔は広角端よりも望遠端の方で狭く、
広角端から望遠端への変倍の際に第２レンズ群と第３レンズ群との間隔は変化し、
第１レンズ群は、物体側から順に、負の屈折力の前側サブレンズ群、光路折り曲げ部材、正の屈折力の後側サブレンズ群からなり、
前側サブレンズ群は１つの両凹単レンズからなり、
後側サブレンズ群は、正レンズと負レンズの２つの単レンズからなることを特徴とする。
【００４２】
第２の発明のズームレンズの大まかなレンズ構成は、第１の発明のズームレンズと類似しているので、第１の発明のズームレンズと同様の効果を奏する。加えて、第２の発明のズームレンズでは、後側サブレンズ群が、正レンズと負レンズの２つの単レンズで構成されているため、より色収差の低減ができる。
【００４３】
また、第３の発明のズームレンズは、物体側から像側に順に、負の屈折力の第１レンズ群と、正の屈折力の第２レンズ群と、レンズを有する第３レンズ群とを少なくとも有し、
第１レンズ群と第２レンズ群との間隔は広角端よりも望遠端の方で狭く、
広角端から望遠端への変倍の際に第２レンズ群と第３レンズ群との間隔は変化し、
第１レンズ群は、物体側から順に、負の屈折力の前側サブレンズ群と、光路折り曲げ部材と、正の屈折力の後側サブレンズ群からなり、
前側サブレンズ群は１つの両凹単レンズからなり、
後側サブレンズ群は１つの正レンズを有し、
前側サブレンズ群の両凹単レンズと後側サブレンズ群の正レンズが共にプラスチックにて構成され、
以下の条件式（８）、（９）を満足することを特徴とする。
−０．３＜Ｎ１FN−Ｎ１RP＜０．１９        （８）
１０．５＜ν１FN−ν１RP＜５０            （９）
ただし、
Ｎ１FNは、前側サブレンズ群の両凹単レンズのd線での屈折率、
Ｎ１RPは、後側サブレンズ群の正レンズのd線での屈折率、
ν１FNは、前側サブレンズ群の両凹単レンズのアッベ数、
ν１RPは、後側サブレンズ群の正レンズのアッベ数、
である。
更に、後側サブレンズ群は、正レンズのみからなり、以下の条件式（５−１）、（７）を満足する。
−１＜（ｒ1FNＯ＋ｒ1FNＩ）／（ｒ1FNＯ−ｒ1FNＩ）＜０．５        （５−１）
０．０２＜Ｄ１ＲＰ／Ｄ１Ｇ＜０．３        （７）
ただし、
ｒ1FNＯは、前側サブレンズ群の両凹単レンズの物体側面の近軸曲率半径、
ｒ1FNＩは、前側サブレンズ群の両凹単レンズの像側面の近軸曲率半径、
Ｄ１ＲＰは、後側サブレンズ群の正レンズの光軸に沿って計った光軸上の厚み、
Ｄ１Ｇは、第１レンズ群の光軸に沿って計った光軸上の厚み、
である。
【００４４】
第３の発明のズームレンズの大まかなレンズ構成は、第１の発明のズームレンズと類似しているので、第１の発明のズームレンズと同様の効果を奏する。加えて、条件式（８）、（９）を満足するので、低コスト化と色収差低減が両立できる。なお、条件式の具体的な意義については、上述したとおりである。
【００４５】
上記の第１〜第３の発明のズームレンズでは、フォーカシングは、第１レンズ群の物体側への繰り出し等で達成できるが、これに限られない。繰り出すレンズ群を、第２レンズ群よりも像側にあるレンズ群のいずれかにしてもよい。特に、第３レンズ群以降のレンズ群は軽量化が可能であるので、これらのレンズ群を繰り出してフォーカシングを行うことが好ましい。もしくは、撮像素子を光軸方向に移動させてフォーカシングを行うようにしてもよい。
【００４６】
また、広角端から望遠端への変倍は、第１レンズ群と撮像素子を固定した状態で行ってもよい。それ以外の構成としては、第１レンズ群を撮像装置本体に固定し撮像素子が移動する構成、もしくは撮像素子を撮像装置に固定し第１レンズ群が移動する構成としてもよい。つまり、広角端から望遠端への変倍の際にレンズ全長が変化する構成としてもよい。
【００４７】
上述の各構成要件は、複数を同時に満足することがより好ましい。また、第１の発明のズームレンズで説明した条件式は、第２および第３の発明のズームレンズに適用することができる。その際、条件式を、個別または複数を同時に適用してもよい。
【００４８】
また、本発明の撮像装置は、ズームレンズと、ズームレンズの像側に配置された撮像素子と、撮像素子からの信号を処理する画像処理部を有し、ズームレンズが上述のいずれかに記載のズームレンズであることを特徴とする。
【００４９】
第１〜第３の発明のズームレンズでは、たる型のディストーションが広角端付近で発生する。たる型のディストーションは、撮像素子の有効撮像領域内に発生するようにしてある。そのため、撮像素子で撮像した被写体の像には、たる型のディストーションが発生している。そこで、本発明の撮像装置には、たる型のディストーションを補正する画像処理部が設けられている。この画像処理部によって、矩形に補正された被写体の画像が、再生、表示、保存されるようになっている。
【００５０】
なお、画像処理部において、色信号ごとにディストーションを行えば、倍率の色収差を電気的に補正することができる。また、周辺減光の補正、ブレの補正、諸収差の補正を、画像処理部により行っても良い。
【００５１】
また、上述の各条件式については、更に以下のようにすることが好ましい。このようにすることで、各条件式で説明した効果をより有効に得ることができる。
【００５２】
条件式（１）の下限を−３、更には−２、更には−０．９とすることが好ましい。
条件式（１）の上限を−０．２、更には−０．４、更には−０．６とすることが好ましい。
条件式（２）の下限を１．５、更には１．７、更には２とすることが好ましい。
条件式（２）の上限を２０、更には１０、更には３とすることが好ましい。
条件式（３）の下限を０．３、更には０．４１、更には０．５とすることが好ましい。
条件式（３）の上限を５、更には３、更には１、更には０．７とすることが好ましい。
条件式（４）の下限を−１０、更には−５、更には−３．５とすることが好ましい。
条件式（４）の上限を−１．５、更には−１．７、更には−１．８、更には−１．９とすることが好ましい。
条件式（５）の下限を−０．７、更には−０．５、更には−０．３５とすることが好ましい。
条件式（５）の上限を０．５、更には０．３２とすることが好ましい。
条件式（６）の下限を０．０６、更には０．１、更には０．１５とすることが好ましい。
条件式（６）の上限を０．２７、更には０．２４、更には０．２２とすることが好ましい。
条件式（７）の下限を０．０５、更には０．０７、更には０．１とすることが好ましい。
条件式（７）の上限を０．２５、更には０．１９、更には０．１５とすることが好ましい。
レンズがプラスチックで構成されている場合、条件式（８）の下限を−０．２５、更には−０．２、更には−０．１５とすることが好ましい。
レンズがプラスチックで構成されている場合、条件式（８）の上限を０．１５、更には０．１、更には０．０５、更には−０．０５とすることが好ましい。
レンズがガラスで構成されている場合、条件式（８）の下限を−０．２８、更には−０．２６、更には−０．２４とすることが好ましい。
レンズがガラスで構成されている場合、条件式（８）の上限を０．１、更には０．０５、更には−０．０５、更には−０．１とすることが好ましい。
レンズがプラスチックで構成されている場合、条件式（９）の下限を１５、更には２０、更には２５とすることが好ましい。
レンズがプラスチックで構成されている場合、条件式（９）の上限を４５、更には４０、更には３３とすることが好ましい。
レンズがガラスで構成されている場合、条件式（９）の下限を１３、更には１５、更には１８とすることが好ましい。
レンズがガラスで構成されている場合、条件式（９）の上限を４０、更には３５、更には３０とすることが好ましい。
条件式（１０）の下限を−０．９、更には−０．８、更には−０．７５とすることが好ましい。
条件式（１０）の上限を０．７、更には０．４、更には０、更には−０．３、更には−０．６とすることが好ましい。
条件式（１１）の下限を１、更には１．５、更には２、更には２．５とすることが好ましい。
条件式（１１）の上限を８、更には６、更には４とすることが好ましい。
【００５３】
なお、以上の説明において、焦点距離は近軸焦点距離のことである。また、以上の説明における光学系の構成や条件式は、フォーカシングが可能なズームレンズでは、特に定義が無い限り、最も遠距離の物体に合焦した状態（無限遠物点合焦時）における構成や条件式である。
【発明の効果】
【００５４】
本発明によれば、負先行タイプで、光路中に光路折り曲げ部材を有するズームレンズにおいて、高い光学性能の維持と低コスト化を両立したズームレンズ、及びこのズームレンズを備えた撮像装置を提供することができる。
【図面の簡単な説明】
【００５５】
【図１】本発明のズームレンズの第１実施例の無限遠物点合焦時の広角端（ａ）、中間焦点距離状態（ｂ）、広角端（ｃ）でのレンズ断面図である。
【図２】本発明のズームレンズの第２実施例の図１と同様の図である。
【図３】本発明のズームレンズの第３実施例の図１と同様の図である。
【図４】本発明のズームレンズの第４実施例の図１と同様の図である。
【図５】本発明のズームレンズの第５実施例の図１と同様の図である。
【図６】本発明のズームレンズの第６実施例の図１と同様の図である。
【図７】本発明のズームレンズの第７実施例の図１と同様の図である。
【図８】本発明のズームレンズの第８実施例の図１と同様の図である。
【図９】実施例１の無限遠物点合焦時の収差図である。
【図１０】実施例２の無限遠物点合焦時の収差図である。
【図１１】実施例３の無限遠物点合焦時の収差図である。
【図１２】実施例４の無限遠物点合焦時の収差図である。
【図１３】実施例５の無限遠物点合焦時の収差図である。
【図１４】実施例６の無限遠物点合焦時の収差図である。
【図１５】実施例７の無限遠物点合焦時の収差図である。
【図１６】実施例８の無限遠物点合焦時の収差図である。
【図１７】本発明によるズームレンズを組み込んだデジタルカメラの概観を示す前方斜視図である。
【図１８】上記デジタルカメラの後方斜視図である。
【図１９】上記デジタルカメラの断面図である。
【図２０】上記デジタルカメラの主要部の内部回路の構成ブロック図である。
【発明を実施するための形態】
【００５６】
以下に、本発明にかかるズームレンズ及び撮像装置の実施例を、図面に基づいて詳細に説明する。なお、この実施例によりこの発明が限定されるものではない。
【００５７】
以下、本発明のズームレンズの実施例１〜８について説明する。実施例６は参考例である。実施例１〜８の無限遠物点合焦時の広角端（ａ）、中間焦点距離状態（ｂ）、広角端（ｃ）でのレンズ断面図を図１〜８に示す。図１〜８中、第１レンズ群はＧ１、第２レンズ群はＧ２、第３レンズ群はＧ３、第４レンズ群はＧ４、第５レンズ群はＧ５、赤外光カットフィルターはＦ、カバーガラスはＣ、像面はＩで示してある。
【００５８】
ここで、赤外光カットフィルターＦは、ローパスフィルタ上に赤外光をカットするコート（多層膜）を施したものであっても良い。また、カバーガラスＣは電子撮像素子の平行平板である。なお、カバーガラスＣの表面に赤外光をカットするコートを施しても良い。また、そのカバーガラスＣにローパスフィルタ作用を持たせるようにしても良い。平行平板Ｆは、ローバスフィルターの機能を持たないようにしてもよい。
【００５９】
また、各実施例において、明るさ絞りＳは第２レンズ群Ｇ２と一体で移動する。数値データは、いずれも無限遠の物体（被写体）に合焦した状態でのデータである。各数値の長さの単位はｍｍ、角度は°（度）である。フォーカシングは、いずれの実施例も最も像側のレンズの移動により行う。さらに、ズームデータは広角端（ＷＥ）、中間焦点距離状態（ＳＴ）、望遠端（ＴＥ）での値である。
【００６０】
フォーカシングは全ての実施例において、第３レンズ群Ｇ３の移動により行うことが好ましい。実施例１〜５のズームレンズでは、正の屈折力の第３レンズ群Ｇ３を物体側に移動することで遠距離から近距離へのフォーカシングを行っている。実施例６のズームレンズでは、負の屈折力の第３レンズ群Ｇ３を像側に移動することで遠距離から近距離へのフォーカシングを行っている。なお、これに限らず、撮像素子を光軸方向に移動させてフォーカシングを行ってもよい。
【００６１】
また、レンズ断面図からわかるように、各レンズ群の動きは撮像面を基準（固定）にして示している。よって、実施例１〜５、７、８のズームレンズでは、変倍時に第１レンズ群Ｇ１が移動する様子が描かれている。しかしながら、変倍時に第１レンズ群Ｇ１は固定しておいたほうが、撮像装置の機密性を高めることができる。よって、変倍時には、第１レンズ群Ｇ１の位置は固定しておき、撮像素子を移動させるのが好ましい。実施例６のズームレンズは、変倍時、第１レンズ群Ｇ１と撮像素子が共に固定となっている。
【００６２】
また、各実施例において、反射部材が光路折り曲げ部材に該当する。この反射部材は、具体的にはプリズムである。なお、プリズムに代えてミラーを用いてもよい。
【００６３】
実施例１のズームレンズは、図１に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、正の屈折力の第４レンズ群Ｇ４とが配置されている。
【００６４】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例１のズームレンズは、各レンズ群の間の距離が変化する４群ズームレンズである。
【００６５】
物体側から順に、第１レンズ群Ｇ１は、両凹負レンズと、反射部材と、両凸正レンズとからなる。第２レンズ群Ｇ２は、両凸正レンズと、両凸正レンズと両凹負レンズとの接合レンズからなる。第３レンズ群Ｇ３は両凸正レンズからなる。第４レンズ群Ｇ４は物体側に凹面を向けた正メニスカスレンズからなる。
【００６６】
非球面は、第１レンズ群Ｇ１の両凹負レンズの両面と、両凸正レンズの両面と、第２レンズ群Ｇ２の両凸正レンズの両面と、第３レンズ群Ｇ３の両凸正レンズの像側面と、第４レンズ群Ｇ４の物体側に凹面を向けた正メニスカスレンズの物体側面との合計８面に用いている。
【００６７】
実施例２のズームレンズは、図２に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、正の屈折力の第４レンズ群Ｇ４とが配置されている。
【００６８】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例２のズームレンズは、各レンズ群の間の距離が変化する４群ズームレンズである。
【００６９】
物体側から順に、第１レンズ群Ｇ１は、両凹負レンズと、反射部材と、物体側に凹面を向けた正メニスカスレンズとからなる。第２レンズ群Ｇ２は、両凸正レンズと、両凸正レンズと両凹負レンズとの接合レンズからなる。第３レンズ群Ｇ３は両凸正レンズからなる。第４レンズ群Ｇ４は物体側に凹面を向けた正メニスカスレンズからなる。
【００７０】
非球面は、第１レンズ群Ｇ１の両凹負レンズの両面と、物体側に凹面を向けた正メニスカスレンズの両面と、第２レンズ群Ｇ２の両凸正レンズの両面と、第３レンズ群Ｇ３の両凸正レンズの像側面と、第４レンズ群Ｇ４の物体側に凹面を向けた正メニスカスレンズの物体側面との合計８面に用いている。
【００７１】
実施例３のズームレンズは、図３に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３とが配置されている。
【００７２】
広角端から望遠端への変倍時、第１レンズ群Ｇ１は物体側に移動する。第２レンズ群Ｇ２は物体側に移動する。第３レンズ群Ｇ３は像側に移動する。このように、実施例３のズームレンズは、各レンズ群の間の距離が変化する３群ズームレンズである。
【００７３】
物体側から順に、第１レンズ群Ｇ１は、両凹負レンズと、反射部材と、物体側に凹面を向けた正メニスカスレンズとからなる。第２レンズ群Ｇ２は、両凸正レンズと、両凸正レンズと両凹負レンズとの接合レンズからなる。第３レンズ群Ｇ３は両凸正レンズからなる。
【００７４】
非球面は、第１レンズ群Ｇ１の両凹負レンズの両面と、物体側に凹面を向けた正メニスカスレンズの両面と、第２レンズ群Ｇ２の両凸正レンズの両面と、第３レンズ群Ｇ３の両凸正レンズの像側面との合計７面に用いている。
【００７５】
実施例４のズームレンズは、図４に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、正の屈折力の第４レンズ群Ｇ４とが配置されている。
【００７６】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例４のズームレンズは、各レンズ群の間の距離が変化する４群ズームレンズである。
【００７７】
物体側から順に、第１レンズ群Ｇ１は、両凹負レンズと、反射部材と、両凸正レンズとからなる。第２レンズ群Ｇ２は、両凸正レンズと、物体側に凸面を向けた正メニスカスレンズと物体側に凸面を向けた負メニスカスレンズとの接合レンズからなる。第３レンズ群Ｇ３は両凸正レンズからなる。第４レンズ群Ｇ４は物体側に凹面を向けた正メニスカスレンズからなる。
【００７８】
非球面は、第１レンズ群Ｇ１の両凹負レンズの両面と、両凸正レンズの両面と、第２レンズ群Ｇ２の両凸正レンズの両面と、第３レンズ群Ｇ３の両凸正レンズの像側面と、第４レンズ群Ｇ４の物体側に凹面を向けた正メニスカスレンズの物体側面との合計８面に用いている。
【００７９】
実施例５のズームレンズは、図５に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、正の屈折力の第４レンズ群Ｇ４とが配置されている。
【００８０】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例５のズームレンズは、各レンズ群の間の距離が変化する４群ズームレンズである。
【００８１】
物体側から順に、第１レンズ群Ｇ１は、両凹負レンズと、反射部材と、両凸正レンズとからなる。第２レンズ群Ｇ２は、両凸正レンズと、物体側に凸面を向けた正メニスカスレンズと物体側に凸面を向けた負メニスカスレンズとの接合レンズからなる。第３レンズ群Ｇ３は両凸正レンズからなる。第４レンズ群Ｇ４は物体側に凹面を向けた正メニスカスレンズからなる。
【００８２】
非球面は、第１レンズ群Ｇ１の両凹負レンズの両面と、両凸正レンズの両面と、第２レンズ群Ｇ２の両凸正レンズの両面と、第３レンズ群Ｇ３の両凸正レンズの像側面と、第４レンズ群Ｇ４の物体側に凹面を向けた正メニスカスレンズの物体側面との合計８面に用いている。
【００８３】
実施例６のズームレンズは、図６に示すように、物体側から像側に順に、負の屈折力の第１レンズ群Ｇ１と、明るさ絞りＳと、正の屈折力の第２レンズ群Ｇ２と、負の屈折力の第３レンズ群Ｇ３、正の屈折力の第４レンズ群Ｇ４と、正の屈折力の第５レンズ群Ｇ５とが配置されている。
【００８４】
広角端から望遠端への変倍時、第１レンズ群Ｇ１は固定である。第２レンズ群Ｇ２は物体側に移動する。第３レンズ群Ｇ３は物体側に移動する。第４レンズ群Ｇ４は像側に移動する。第５レンズ群Ｇ５は固定である。このように、実施例１のズームレンズは、各レンズ群の間の距離が変化する５群ズームレンズである。
【００８５】
物体側から順に、第１レンズ群Ｇ１は、両凹負レンズと、反射部材と、両凸正レンズと、物体側に凸面を向けた負メニスカスレンズからなる。第２レンズ群Ｇ２は、両凸正レンズと、両凸正レンズと両凹負レンズとの接合レンズからなる。第３レンズ群Ｇ３は両凹負レンズからなる。第４レンズ群Ｇ４は物体側に凹面を向けた正メニスカスレンズからなる。第５レンズ群Ｇ５は両凸正レンズからなる。
【００８６】
非球面は、第１レンズ群Ｇ１の両凹負レンズの両面と、両凸正レンズの両面と、第２レンズ群Ｇ２の両凸正レンズの両面と、第３レンズ群Ｇ３の両凹負レンズの像側面と、第４レンズ群Ｇ４の物体側に凹面を向けた正メニスカスレンズの物体側面と、第５レンズ群Ｇ５の両凸正レンズの両面との合計１０面に用いている。
【００８７】
実施例７のズームレンズは、図７に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、負の屈折力の第４レンズ群Ｇ４とが配置されている。
【００８８】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例１のズームレンズは、各レンズ群の間の距離が変化する４群ズームレンズである。
【００８９】
物体側から順に、第１レンズ群Ｇ１は、両凹負レンズと、反射部材と、物体側に凹面を向けた正メニスカスレンズとからなる。第２レンズ群Ｇ２は、両凸正レンズと、両凸正レンズと両凹負レンズとの接合レンズからなる。第３レンズ群Ｇ３は両凸正レンズからなる。第４レンズ群Ｇ４は物体側に凹面を向けた負メニスカスレンズからなる。
【００９０】
非球面は、第１レンズ群Ｇ１の両凹負レンズの両面と、物体側に凹面を向けた正メニスカスレンズの両面と、第２レンズ群Ｇ２の両凸正レンズの両面と、第３レンズ群Ｇ３の両凸正レンズの像側面と、第４レンズ群Ｇ４の物体側に凹面を向けた負メニスカスレンズの物体側面との合計８面に用いている。
【００９１】
実施例８のズームレンズは、図８に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、負の屈折力の第４レンズ群Ｇ４とが配置されている。
【００９２】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例１のズームレンズは、各レンズ群の間の距離が変化する４群ズームレンズである。
【００９３】
物体側から順に、第１レンズ群Ｇ１は、両凹負レンズと、反射部材と、物体側に凹面を向けた正メニスカスレンズとからなる。第２レンズ群Ｇ２は、両凸正レンズと、両凸正レンズと両凹負レンズとの接合レンズからなる。第３レンズ群Ｇ３は両凸正レンズからなる。第４レンズ群Ｇ４は物体側に凹面を向けた負メニスカスレンズからなる。
【００９４】
非球面は、第１レンズ群Ｇ１の両凹負レンズの両面と、物体側に凹面を向けた正メニスカスレンズの両面と、第２レンズ群Ｇ２の両凸正レンズの両面と、第３レンズ群Ｇ３の両凸正レンズの像側面と、第４レンズ群Ｇ４の物体側に凹面を向けた負メニスカスレンズの物体側面との合計８面に用いている。
【００９５】
以下に、上記各実施例の数値データを示す。記号は上記の外、ｆは全系焦点距離、ＢＦはバックフォーカス、ｆ１、ｆ２…は各レンズ群の焦点距離、ＩＨは像高、ＦＮＯはＦナンバー、ωは半画角、ＷＥは広角端、ＳＴは中間焦点距離状態、ＴＥは望遠端、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【００９６】
なお、非球面形状は、ｘを光の進行方向を正とした光軸とし、ｙを光軸と直交する方向にとると、下記の式にて表される。
【００９７】
ｘ＝（ｙ２／ｒ）／［１＋｛１−（Ｋ＋１）（ｙ／ｒ）２｝１／２］
＋Ａ４ｙ４＋Ａ６ｙ６＋Ａ８ｙ８＋Ａ１０ｙ１０＋Ａ１２ｙ１２
ただし、ｒは近軸曲率半径、Ｋは円錐係数、Ａ４、Ａ６、Ａ８、Ａ１０、Ａ１２はそれぞれ４次、６次、８次、１０次、１２次の非球面係数である。また、非球面係数において、「ｅ−ｎ」（ｎは整数）は、「１０−ｎ」を示している。
【００９８】
また、以下の数値実施例では、広角端での像高が、中間焦点距離状態や望遠端での像高に対して小さくなっている。これは、上述したように、たる型のディストーションが発生しているからである。そして、数値実施例における広角端での全画角（２ω）の値は、たる型の有効撮像領域の像高に対応する画角を表示している。
【００９９】
また、数値実施例において、反射部材（プリズム）の反射面を示す数値はデータから省略しているが、第３面が反射部材の入射面、第４面が反射部材の射出面を示している。よって、反射面は第３面と第４面の間に存在する。
【０１００】
数値実施例１
単位：ｍｍ
面データ
面番号       r           d         nd       υd
物面        ∞          ∞
1*      -7.487       0.97     1.53110    55.91
2*      12.191       1.79
3         ∞         7.00     1.88300    40.80
4         ∞         0.30
5*      30.132       1.50     1.63493    23.90
6*     -70.000       可変
7(絞り)   ∞         0.70
8*       6.129       2.38     1.49700    81.54
9*     -16.278       0.11
10      11.001       3.49     1.76182    26.52
11     -12.852       0.40     1.84666    23.78
12       4.540       可変
13      14.287       2.90     1.53110    55.91
14*     -9.746       可変
15*    -20.000       0.61     1.53110    55.91
16     -20.000       0.35
17        ∞         0.30     1.51633    64.14
18        ∞         0.50
19        ∞         0.50     1.51633    64.14
20        ∞         0.37
像面(撮像面)  ∞
非球面データ
第１面
k=0.000
A4=2.08019e-03,A6=-3.26772e-05,A8=3.75554e-07  
第２面
k=3.328
A4=6.58910e-04,A6=1.88880e-05,A8=-7.45717e-07  
第５面
k=0.000
A4=-6.95567e-04,A6=3.74130e-05,A8=1.19289e-07  
第６面
k=0.000
A4=-5.64334e-04,A6=2.76133e-05,A8=3.58379e-07  
第８面
k=0.000
A4=-3.97291e-04,A6=9.65125e-07  
第９面
k=0.000
A4=4.58180e-04  
第１４面
k=0.000
A4=4.52981e-04,A6=2.25500e-09  
第１５面
k=0.000
A4=-9.19140e-04,A6=1.88942e-05  
【０１０１】
ズームデータ
広角      中間      望遠
像高               3.74      4.04      4.04
焦点距離           5.10      8.91     19.16
ＦＮＯ．           3.51      5.45      6.96
画角２ω          78.75     48.16     22.80
d6                11.09      6.77      0.40  
d12                1.22     11.03     24.87  
d14                3.49      1.85      0.51  
fb(in air)         1.71      1.71      1.71
全長(in air)      39.73     43.51     49.62
群焦点距離
f1=-15.65     f2=13.93     f3=11.39     f4=3550.96   
【０１０２】
数値実施例２
単位：ｍｍ
面データ
面番号       r           d         nd       υd
物面        ∞          ∞
1*      -7.729       0.97     1.53110    55.91
2*      12.902       1.85
3         ∞         7.00     1.88300    40.80
4         ∞         0.30
5*    -134.950       1.50     1.63493    23.90
6*     -22.715       可変  
7(絞り)   ∞         0.70
8*       6.120       2.45     1.58313    59.46
9*     -14.173       0.10
10       17.067       3.22     1.67790    55.34
11      -17.947       0.52     1.80000    29.84
12        4.546       可変
13       13.438       3.35     1.51633    64.06
14*      -9.462       可変
15*     -20.000       0.61     1.53110    55.91
16      -20.000       0.35
17         ∞         0.30     1.51633    64.14
18         ∞         0.50
19         ∞         0.50     1.51633    64.14
20         ∞         0.37
像面(撮像面)  ∞
非球面データ
第１面
k=0.000
A4=2.04598e-03,A6=-3.13038e-05,A8=3.26785e-07  
第２面
k=4.133
A4=8.63342e-04,A6=1.65689e-05,A8=-6.97112e-07  
第５面
k=0.000
A4=-8.92289e-04,A6=2.82135e-05  
第６面
k=0.000
A4=-7.62040e-04,A6=2.03867e-05  
第８面
k=0.000
A4=-5.15115e-04,A6=6.61255e-07  
第９面
k=0.000
A4=4.90565e-04  
第１４面
k=0.000
A4=4.90118e-04,A6=-2.65331e-06  
第１５面
k=0.000
A4=-4.70846e-04,A6=4.96149e-06  
ズームデータ
広角      中間      望遠
像高               3.66      4.04      4.04
焦点距離           4.93      9.74     18.55
ＦＮＯ．           3.50      5.70      6.99
画角２ω          81.47     45.58     24.22
d6                11.44      4.77      0.40  
d12                1.54     11.94     24.09  
d14                2.94      1.65      0.41  
fb (in air)        1.73      1.73      1.73
全長 (in air)     40.28     42.67     49.22
群焦点距離
f1=-14.47     f2=13.19     f3=11.32     f4=3550.96   
【０１０３】
数値実施例３
単位：ｍｍ
面データ
面番号       r           d         nd       υd
物面        ∞          ∞
1*      -7.723       0.97     1.53110    55.91
2*      13.321       1.80
3         ∞         7.00     1.88300    40.80
4         ∞         0.30
5*    -103.204       1.50     1.63493    23.90
6*     -22.075       可変  
7(絞り)   ∞         0.70
8*       6.017       2.45     1.58313    59.46
9*     -14.331       0.10
10       17.521       3.22     1.67790    55.34
11      -18.644       0.52     1.80000    29.84
12        4.514       可変
13       13.564       3.35     1.51633    64.06
14*      -9.459       可変
15         ∞         0.30     1.51633    64.14
16         ∞         0.50
17         ∞         0.50     1.51633    64.14
18         ∞         0.37
像面(撮像面)  ∞
非球面データ
第１面
k=0.000
A4=2.01100e-03,A6=-3.17633e-05,A8=3.40021e-07  
第２面
k=4.850
A4=8.04082e-04,A6=1.24917e-05,A8=-7.81066e-07  
第５面
k=0.000
A4=-7.28518e-04,A6=2.32616e-05  
第６面
k=0.000
A4=-6.16676e-04,A6=1.63810e-05  
第８面
k=0.000
A4=-5.63612e-04,A6=-1.78863e-06  
第９面
k=0.000
A4=4.35888e-04  
第１４面
k=0.000
A4=8.10896e-04,A6=-6.04860e-06  
ズームデータ
広角      中間      望遠
像高               3.65      4.04      4.04
焦点距離           4.93      9.67     18.57
ＦＮＯ．           3.50      5.80      7.00
画角２ω          81.34     45.46     24.23
d6                11.25      5.38      0.40  
d12                1.37     12.01     24.28  
d14                3.72      2.11      1.25  
fb (in air)        5.15      3.48      2.63
全長 (in air)     39.67     42.78     49.23
群焦点距離
f1=-14.48     f2=13.14     f3=11.36   
【０１０４】
数値実施例４
単位：ｍｍ
面データ
面番号       r           d         nd       υd
物面        ∞          ∞
1*      -9.238       0.97     1.57099    50.80
2*      10.198       1.79
3         ∞         7.00     1.88300    40.80
4         ∞         0.30
5*      27.577       1.65     1.80486    24.74
6*    -248.615       可変  
7(絞り)   ∞         0.70
8*       6.102       2.35     1.49710    81.56
9*     -19.452       0.11
10       11.396       3.49     1.76182    26.52
11       26.986       0.40     1.84666    23.78
12        4.483       可変
13       12.551       2.84     1.49710    81.56
14*      -9.264       可変
15*     -20.000       0.61     1.53110    55.91
16      -20.000       0.35
17         ∞         0.30     1.51633    64.14
18         ∞         0.50
19         ∞         0.50     1.51633    64.14
20         ∞         0.20
像面(撮像面)  ∞
非球面データ
第１面
k=0.000
A4=1.24123e-03,A6=-1.88658e-05,A8=1.76166e-07  
第２面
k=-0.149
A4=3.28576e-04,A6=1.19173e-05,A8=-4.04660e-07  
第５面
k=0.000
A4=-1.45448e-04,A6=8.41788e-06,A8=1.74649e-07  
第６面
k=0.000
A4=-7.60953e-05,A6=2.36680e-06,A8=4.22615e-07  
第８面
k=0.000
A4=-4.94460e-04,A6=-6.93478e-06  
第９面
k=0.000
A4=2.28491e-04  
第１４面
k=0.000
A4=6.95504e-04,A6=-1.77725e-06  
第１５面
k=0.000
A4=-7.44516e-04,A6=1.84347e-05  
ズームデータ
広角      中間      望遠
像高               3.76      4.04      4.04
焦点距離           5.09     10.70     24.97
ＦＮＯ．           3.49      6.42      7.17
画角２ω          79.33     39.72     17.72
d6                11.29      6.29      0.32  
d12                0.90     15.44     33.67  
d14                4.03      1.83      0.08  
fb (in air)        1.55      1.55      1.55
全長 (in air)     40.07     47.34     57.86
群焦点距離
f1=-15.75     f2=14.81     f3=11.21     f4=3550.96   
【０１０５】
数値実施例５
単位：ｍｍ
面データ
面番号       r           d         nd       υd
物面        ∞          ∞
1*     -18.216       1.07     1.73077    40.51
2*       8.915       1.79
3         ∞         7.00     1.88300    40.80
4         ∞         0.30
5*      28.919       1.76     1.92286    20.88
6*    -513.186       可変
7(絞り)   ∞         0.70
8*       6.418       2.35     1.49710    81.56
9*     -40.841       0.11
10        6.321       3.06     1.55332    71.68
11       16.806       0.40     1.80000    29.84
12        3.917       可変
13       12.842       2.84     1.49710    81.56
14*      -9.729       可変
15*     -20.000       0.61     1.53110    55.91
16      -20.000       0.35
17         ∞         0.30     1.51633    64.14
18         ∞         0.50
19         ∞         0.50     1.51633    64.14
20         ∞         0.20
像面(撮像面)  ∞
非球面データ
第１面
k=0.000
A4=-2.63657e-04,A6=1.77497e-05,A8=-1.81542e-07  
第２面
k=-1.425
A4=-6.38603e-04,A6=2.69705e-05,A8=1.09615e-07  
第５面
k=0.000
A4=-4.86450e-05,A6=1.37828e-05,A8=2.19119e-07  
第６面
k=0.000
A4=-1.25722e-05,A6=1.01429e-05,A8=4.24691e-07  
第８面
k=0.000
A4=-1.98072e-04,A6=-9.73181e-07  
第９面
k=0.000
A4=3.50148e-04  
第１４面
k=0.000
A4=6.32017e-04,A6=-1.49821e-06  
第１５面
k=0.000
A4=-7.22139e-04,A6=2.07229e-05  
ズームデータ
広角      中間      望遠
像高               3.76      4.04      4.04
焦点距離           5.08     10.70     24.89
ＦＮＯ．           3.53      6.52      7.12
画角２ω          79.43     40.06     17.95
d6                11.29      6.49      0.17  
d12                0.88     15.36     33.63  
d14                4.11      1.66      0.18  
fb (in air)        1.53      1.53      1.53
全長 (in air)     39.89     47.03     57.52
群焦点距離
f1=-15.35     f2=14.57     f3=11.62     f4=3550.96   
【０１０６】
数値実施例６
単位：ｍｍ
面データ
面番号       r           d         nd       υd
物面        ∞          ∞
1*      -8.064       0.97     1.53110    55.91
2*       7.911       2.31
3         ∞         7.00     1.88300    40.80
4         ∞         0.30
5*      38.761       1.42     1.63493    23.90
6*     -17.817       0.10
7      115.199       0.50     1.73800    32.26
8       19.007       可変  
9(絞り)   ∞         0.70
10*       7.442       3.50     1.49700    81.54
11*     -16.608       0.10
12       12.189       2.25     1.55880    62.55
13      -38.244       0.50     1.72825    28.46
14       10.486       可変
15       -7.127       0.50     1.48749    70.23
16*     117.173       可変
17      -12.335       0.96     1.53110    55.91
18*      -6.212       可変
19*      22.356       2.69     1.53110    55.91
20*     -15.107       0.35 
21         ∞         0.30     1.51633    64.14
22         ∞         0.50
23         ∞         0.50     1.51633    64.14
24         ∞         0.37
像面(撮像面)  ∞
非球面データ
第１面
k=0.000
A4=1.92254e-03,A6=-3.05452e-05,A8=2.95162e-07,A10=-1.96811e-10  
第２面
k=0.000
A4=3.00358e-04,A6=5.85037e-05,A8=-2.09886e-06,A10=1.94417e-08  
第５面
k=0.000
A4=-7.55038e-04,A6=6.27574e-06  
第６面
k=0.000
A4=-5.69667e-04,A6=7.47124e-07  
第１０面
k=0.000
A4=-1.16640e-04,A6=-5.81051e-06,A8=8.88556e-07,A10=6.10606e-09  
第１１面
k=0.000
A4=3.62002e-04,A6=-1.98208e-06,A8=6.94737e-07,A10=3.69823e-08  
第１６面
k=0.000
A4=7.91854e-04,A6=-1.78713e-05,A8=1.37930e-06  
第１８面
k=0.000
A4=1.35150e-03,A6=5.19416e-05,A8=-1.13501e-06  
第１９面
k=0.000
A4=-1.99872e-04,A6=8.28693e-06  
第２０面
k=0.000
A4=-2.69595e-03,A6=7.85161e-05,A8=-5.57333e-07  
ズームデータ
広角      中間      望遠
像高               3.94      3.94      3.94
焦点距離           4.89     10.80     23.40
ＦＮＯ．           3.50      5.76      6.97
画角２ω          88.08     38.53     18.33
d8                19.30      9.24      0.71  
d14                6.18      7.09     14.92  
d16                1.16     10.47     13.24  
d18                2.54      2.35      0.40  
fb (in air)        1.72      1.72      1.72
全長 (in air)     54.73     54.73     54.73
群焦点距離
f1=-10.14     f2=11.75     f3=-13.76     f4=22.34     f5=17.41   
【０１０７】
数値実施例７
単位：ｍｍ
面データ
面番号       r           d         nd       υd
物面        ∞          ∞
1*      -7.732       0.97     1.53110    55.91
2*      12.844       1.86
3         ∞         7.00     1.88300    40.80
4         ∞         0.30
5*    -177.135       1.50     1.63493    23.90
6*     -23.553       可変  
7(絞り)   ∞         0.70
8*       6.100       2.45     1.58313    59.46
9*     -13.726       0.10
10       18.057       3.22     1.67790    55.34
11      -17.834       0.52     1.80000    29.84
12        4.573       可変  
13       13.533       3.35     1.51633    64.06
14*      -9.332       可変  
15*     -18.206       0.61     1.53110    55.91
16      -18.631       0.35
17         ∞         0.30     1.51633    64.14
18         ∞         0.50
19         ∞         0.50     1.51633    64.14
20         ∞         0.37
像面(撮像面)  ∞
非球面データ
第１面
k=0.000
A4=2.03975e-03,A6=-3.13927e-05,A8=3.28916e-07  
第２面
k=4.165
A4=8.58770e-04,A6=1.54895e-05,A8=-7.16243e-07  
第５面
k=0.000
A4=-8.33560e-04,A6=2.40172e-05  
第６面
k=0.000
A4=-7.15440e-04,A6=1.68215e-05  
第８面
k=0.000
A4=-5.51470e-04,A6=-6.20584e-07  
第９面
k=0.000
A4=4.69307e-04  
第１４面
k=0.000
A4=5.20020e-04,A6=-2.65063e-06  
第１５面
k=0.000
A4=-4.62715e-04,A6=5.83109e-06  
ズームデータ
広角      中間      望遠
像高               4.04      4.04      4.04
焦点距離           4.93      9.99     18.55
ＦＮＯ．           3.50      5.79      6.99
画角２ω          89.07     44.36     24.21
d6                11.45      4.47      0.40  
d12                1.58     12.34     24.08  
d14                2.93      1.66      0.42  
fb (in air)        1.74      1.74      1.74
全長 (in air)     40.32     42.77     49.22
群焦点距離
f1=-14.46     f2=13.19     f3=11.26     f4=-2999.97   
【０１０８】
数値実施例８
単位：ｍｍ
面データ
面番号       r           d         nd       υd
物面        ∞          ∞
1*      -7.831       0.95     1.53110    55.91
2*      12.001       1.92
3         ∞         7.00     1.88300    40.80
4         ∞         0.30
5*    -287.847       1.51     1.63493    23.90
6*     -23.890       可変
7(絞り)   ∞         0.70
8*       6.094       2.45     1.58313    59.46
9*     -13.769       0.10
10       18.727       3.22     1.72000    46.02
11      -11.693       0.52     1.80000    29.84
12        4.561       可変
13       13.324       3.33     1.51633    64.06
14*     -10.020       可変
15*     -12.560       0.60     1.53110    55.91
16      -12.973       0.35
17         ∞         0.30     1.51633    64.14
18         ∞         0.50
19         ∞         0.50     1.51633    64.14
20         ∞         0.37
像面(撮像面)  ∞
非球面データ
第１面
k=0.000
A4=2.07313e-03,A6=-3.15508e-05,A8=3.16680e-07  
第２面
k=3.578
A4=8.36072e-04,A6=2.19679e-05,A8=-8.04809e-07  
第５面
k=0.000
A4=-8.89903e-04,A6=2.56386e-05  
第６面
k=0.000
A4=-7.55491e-04,A6=1.73458e-05  
第８面
k=0.000
A4=-5.31694e-04,A6=-5.99689e-07  
第９面
k=0.000
A4=4.86196e-04  
第１４面
k=0.000
A4=4.43386e-04,A6=-2.67304e-06  
第１５面
k=0.000
A4=-3.08363e-04,A6=4.65425e-06  
ズームデータ
広角      中間      望遠
像高               4.04      4.04      4.04
焦点距離           4.93     10.45     18.55
ＦＮＯ．           3.50      5.95      6.99
画角２ω          88.75     42.90     24.41
d6                11.82      4.17      0.40  
d12                1.61     13.08     24.07  
d14                3.03      1.65      0.42  
fb (in air)        1.74      1.74      1.74
全長 (in air)     40.83     43.23     49.22
群焦点距離
f1=-14.46     f2=13.29     f3=11.64     f4=-1499.44   
【０１０９】
以上の実施例１〜８の無限遠物点合焦時の収差図をそれぞれ図９〜図１６に示す。これらの収差図において、（ａ）は広角端、（ｂ）は中間焦点距離状態、（ｃ）は望遠端における球面収差（ＳＡ）、非点収差（ＡＳ）、歪曲収差（ＤＴ）、倍率色収差（ＣＣ）を示す。各図中、”ＦＩＹ”は最大像高を示す。
【０１１０】
次に、各実施例における条件式の値を掲げる。なおハイフン（-）は該当する値がないことを表している。
実施例１    実施例２    実施例３    実施例４
(1)f1G/fT                          -0.817      -0.780      -0.780      -0.631
(2)β2T/β2W                        2.321       2.533       2.548       2.556
(3)f1FN/f1G                         0.549       0.619       0.626       0.529
(4)f1RP/f1G                        -2.133      -2.957      -3.034      -1.963
(5)(r1FNO＋r1FNI)/(r1FNO−r1FNI)   -0.239      -0.251      -0.266      -0.049
(6)D1FNon/D1FNoff                   0.203       0.184       0.202       0.247
(7)D1RP/D1G                         0.130       0.129       0.130       0.141
(8)N１FN−N１RP                    -0.104      -0.104      -0.104      -0.234
(9)ν１FN−ν１RP                  32.008      32.008      32.008      26.060
(10)(r1RPI＋r1RNO）/(r1RPI−r1RNO）  -           -           -           -
(11)f1RN／f1G                        -           -           -           -
【０１１１】
実施例５     実施例６    実施例７    実施例８
(1) f1G/fT                         -0.617      -0.433      -0.779      -0.779
(2) β2T/β2W                       2.639       3.125       2.533       2.543
(3)f1FN/f1G                         0.525       0.726       0.618       0.607
(4)f1RP/f1G                        -1.936      -1.914      -2.948      -2.832
(5)(r1FNO＋r1FNI)/(r1FNO−r1FNI)    0.343       0.010      -0.248      -0.210
(6)D1FNon/D1FNoff                   0.308       0.168       0.187       0.178
(7)D1RP/D1G                         0.148       0.113       0.129       0.129
(8)N１FN−N１RP                    -0.192      -0.104      -0.104      -0.104
(9)ν１FN−ν１RP                  19.630      32.008      32.008      32.008
(10)(r1RPI＋r1RNO）/(r1RPI−r1RNO）  -         -0.732        -           -
(11)f1RN／f1G                        -          3.048        -           -
【０１１２】
（デジタルカメラ）
さて、以上のような本発明のズームレンズで物体像を形成しその像をＣＣＤ等の電子撮像素子に受光させて撮影を行う電子撮影装置、とりわけデジタルカメラやビデオカメラ等に用いることができる。以下に、その実施形態を例示する。
【０１１３】
図１７〜図１９は、本発明によるズームレンズをデジタルカメラの撮影光学系１４１に組み込んだ構成の概念図を示す。図１７はデジタルカメラ１４０の外観を示す前方斜視図、図１８は同後方斜視図、図１９はデジタルカメラ１４０の構成を示す断面図である。デジタルカメラ１４０は、この例の場合、撮影用光路１４２を有する撮影光学系１４１、ファインダー用光路１４４を有するファインダー光学系１４３、シャッター１４５、フラッシュ１４６、液晶表示モニター１４７等を含み、カメラ１４０の上部に配置されたシャッター１４５を押圧すると、それに連動して撮影光学系１４１、例えば実施例１の光路折り曲げズームレンズを通して撮影が行われる。撮影光学系１４１によって形成された物体像が、近赤外カットフィルターと光学的ローパスフィルターＦを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１１４】
さらに、ファインダー用光路１４４上にはファインダー用対物光学系１５３が配置してある。このファインダー用対物光学系１５３によって形成された物体像は、像正立部材であるポロプリズム１５５の視野枠１５７上に形成される。このポリプリズム１５５の後方には、正立正像にされた像を観察者眼球Ｅに導く接眼光学系１５９が配置されている。なお、撮影光学系１４１及びファインダー用対物光学系１５３の入射側、接眼光学系１５９の射出側にそれぞれカバー部材１５０が配置されている。
【０１１５】
このように構成されたデジタルカメラ１４０は、撮影光学系１４１が５倍程度の高変倍比で、高い光学性能を有するズームレンズであるので、高性能で、奥行き方向が極めて薄い安価なデジタルカメラが実現できる。
【０１１６】
なお、図１９の例では、カバー部材１５０として平行平面板を配置しているが、省いてもよい。
【０１１７】
（内部回路構成）
図２０は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１１８】
図２０に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１１９】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１２０】
操作部１１２は各種の入力ボタンやスイッチを備え、これらの入力ボタンやスイッチを介して外部（カメラ使用者）から入力されるイベント情報を制御部に通知する回路である。
【０１２１】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１２２】
ＣＣＤ１４９は、本発明による撮影光学系１４１を介して形成された物体像を受光する。ＣＣＤ１４９は、撮像駆動回路１１６により駆動制御され、その物体像の画素ごとの光量を電気信号に変換してＣＤＳ／ＡＤＣ部１２４に出力する撮像素子である。
【０１２３】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１２４】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１２５】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１２６】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【産業上の利用可能性】
【０１２７】
以上のように、本発明にかかるズームレンズは高い光学性能の維持と低コスト化に有用であり、特に、ＣＣＤやＣＭＯＳ等の電子撮像素子を備える撮像装置の光学系に適している。
本発明とは別の発明の例を以下に示す。
（付記項１）
物体側から像側に順に、負の屈折力の第１レンズ群と、正の屈折力の第２レンズ群と、レンズを有する第３レンズ群とを少なくとも有し、
前記第１レンズ群と前記第２レンズ群との間隔は広角端よりも望遠端の方で狭く、
広角端から望遠端への変倍の際に、前記第２レンズ群と前記第３レンズ群との間隔は変化し、
前記第１レンズ群は、物体側から順に、負の屈折力の前側サブレンズ群と、光路折り曲げ部材と、正の屈折力の後側サブレンズ群からなり、
前記前側サブレンズ群は１つの両凹単レンズからなり、
前記後側サブレンズ群は、物体側から順に、前記正レンズと負レンズからなり、
以下の条件式（１）〜（４）を満足することを特徴とするズームレンズ。
−４＜f１G／fT＜−０．０１          （１）
１．３＜｜β２T／β２W｜＜３０      （２）
０．１＜f１FN／f１G＜１０            （３）
−１６＜f１RP／f１G＜−１．２        （４）
ただし、
f１Gは、前記第１レンズ群の焦点距離、
fTは、望遠端における前記ズームレンズ全系の焦点距離、
β２Tは、望遠端における前記第２レンズ群の横倍率、
β２Wは、広角端における前記第２レンズ群の横倍率、
f１FNは、前記前側サブレンズ群の前記両凹単レンズの焦点距離、
f１RPは、前記後側サブレンズ群の前記正レンズの焦点距離、
である。
（付記項２）
物体側から像側に順に、負の屈折力の第１レンズ群と、正の屈折力の第２レンズ群と、レンズを有する第３レンズ群とを少なくとも有し、
前記第１レンズ群と前記第２レンズ群との間隔は広角端よりも望遠端の方で狭く、
広角端から望遠端への変倍の際に、前記第２レンズ群と前記第３レンズ群との間隔は変化し、
前記第１レンズ群は、物体側から順に、負の屈折力の前側サブレンズ群と、光路折り曲げ部材と、正の屈折力の後側サブレンズ群からなり、
前記前側サブレンズ群は１つの両凹単レンズからなり、
前記後側サブレンズ群は物体側から順に、前記正レンズと負レンズからなり、
前記前側サブレンズ群の前記両凹単レンズと前記後側サブレンズ群の前記正レンズが共にプラスチックにて構成され、
以下の条件式（８）、（９）を満足することを特徴とするズームレンズ。
−０．３＜Ｎ１FN−Ｎ１RP＜０．１９        （８）
１０．５＜ν１FN−ν１RP＜５０            （９）
ただし、
Ｎ１FNは、前記前側サブレンズ群の前記両凹単レンズのd線での屈折率、
Ｎ１RPは、前記後側サブレンズ群の前記正レンズのd線での屈折率、
ν１FNは、前記前側サブレンズ群の前記両凹単レンズのアッベ数、
ν１RPは、前記後側サブレンズ群の前記正レンズのアッベ数、
である。
（付記項３）
前記前側サブレンズ群の前記両凹単レンズは、両面が非球面であることを特徴とする付記項１又は付記項２に記載のズームレンズ。
（付記項４）
前記前側サブレンズ群の前記両凹単レンズは、以下の条件式（５）を満足することを特徴とする付記項１から付記項３のいずれか１項に記載のズームレンズ。
−１＜（ｒ1FNＯ＋ｒ1FNＩ）／（ｒ1FNＯ−ｒ1FNＩ）＜０．７        （５）
ただし、
ｒ1FNＯは、前側サブレンズ群の両凹単レンズの物体側面の近軸曲率半径、
ｒ1FNＩは、前側サブレンズ群の両凹単レンズの像側面の近軸曲率半径、
である。
（付記項５）
前記前側サブレンズ群の前記両凹単レンズは、以下の条件式（６）を満足することを特徴とする付記項１から付記項４のいずれか１項に記載のズームレンズ。
０．０３＜Ｄ１ＦＮon／Ｄ１ＦＮoff＜０．３１          （６）
ただし、
Ｄ１ＦＮonは、前記前側サブレンズ群の前記両凹単レンズの光軸上での厚み、
Ｄ１ＦＮoffは、前記前側サブレンズ群の前記両凹単レンズの像側面及び物体側面の最大有効径位置での光軸に沿った方向での厚みのうちより大きい厚み、
である。
（付記項６）
前記後側サブレンズ群の前記正レンズは、以下の条件式（７）を満足することを特徴とする付記項１から付記項５のいずれか１項に記載のズームレンズ。
０．０２＜Ｄ１ＲＰ／Ｄ１Ｇ＜０．３        （７）
ただし、
Ｄ１ＲＰは、前記後側サブレンズ群の前記正レンズの光軸に沿って計った光軸上の厚み、
Ｄ１Ｇは、前記第１レンズ群の光軸に沿って計った光軸上の厚み、
である。
（付記項７）
前記前側サブレンズ群の前記両凹単レンズと前記後側サブレンズ群の前記正レンズが共にプラスチックで構成されることを特徴とする付記項１から付記項６のいずれか１項に記載のズームレンズ。
（付記項８）
前記前側サブレンズ群の前記両凹単レンズと前記後側サブレンズ群の前記正レンズは、両面非球面レンズであることを特徴とする付記項７に記載のズームレンズ。
（付記項９）
前記前側サブレンズ群の前記両凹単レンズと前記後側サブレンズ群の前記正レンズが共にガラスで構成されることを特徴とする付記項１から付記項６のいずれか１項に記載のズームレンズ。
（付記項１０）
前記前側サブレンズ群の前記両凹単レンズと前記後側サブレンズ群の前記正レンズは、以下の条件式（８）、（９）を満足することを特徴とする付記項１から付記項９のいずれか１項に記載のズームレンズ。
−０．３＜Ｎ１FN−Ｎ１RP＜０．１９        （８）
１０．５＜ν１FN−ν１RP＜５０            （９）
ただし、
Ｎ１FNは、前記前側サブレンズ群の前記両凹単レンズのd線での屈折率、
Ｎ１RPは、前記後側サブレンズ群の前記正レンズのd線での屈折率、
ν１FNは、前記前側サブレンズ群の前記両凹単レンズのアッベ数、
ν１RPは、前記後側サブレンズ群の前記正レンズのアッベ数、
である。
（付記項１１）
前記後側サブレンズ群の前記正レンズと前記負レンズに挟まれてなる空気層が正の屈折力をもち、
前記後側サブレンズ群の前記正レンズと前記負レンズは、以下の条件（１０）を満足することを特徴とする付記項１、２及び付記項１、２に従属する付記項３から１０のいずれか１項に記載のズームレンズ。
−１＜（ｒ１RPI＋ｒ１RNO）／（ｒ１RPI−ｒ１RNO）＜１        （１０）
ただし、
ｒ１RPIは、前記後側サブレンズ群の前記正レンズの像側面の近軸曲率半径、
ｒ１RNOは、前記後側サブレンズ群の前記負レンズの物体側面の近軸曲率半径、
である。
（付記項１２）
前記後側サブレンズ群の前記負レンズは、以下の条件式（１１）を満足することを特徴とする付記項１、２及び付記項１、２に従属する付記項３から１０のいずれか１項に記載のズームレンズ。
０．１＜f１RN／f１G＜１０      （１１）
ただし、
f１RNは、前記後側サブレンズ群の前記負レンズの焦点距離、
f１Gは、前記第１レンズ群の焦点距離、
である。
（付記項１３）
ズームレンズと、
該ズームレンズの像側に配置された撮像素子と、
該撮像素子からの信号を処理する画像処理部を有し、
前記ズームレンズが付記項１から付記項１２のいずれか１項に記載のズームレンズであることを特徴とする撮像装置。
【符号の説明】
【０１２８】
Ｇ１…第１レンズ群
Ｇ２…第２レンズ群
Ｇ３…第３レンズ群
Ｓ…開口絞り
Ｆ…ローパスフィルタ
Ｃ…カバーガラス
Ｐ…プリズム
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
【図１】
0005985016.tif 000002
【図２】
0005985016.tif 000003
【図３】
0005985016.tif 000004
【図４】
0005985016.tif 000005
【図５】
0005985016.tif 000006
【図６】
0005985016.tif 000007
【図７】
0005985016.tif 000008
【図８】
0005985016.tif 000009
【図９】
0005985016.tif 000010
【図１０】
0005985016.tif 000011
【図１１】
0005985016.tif 000012
【図１２】
0005985016.tif 000013
【図１３】
0005985016.tif 000014
【図１４】
0005985016.tif 000015
【図１５】
0005985016.tif 000016
【図１６】
0005985016.tif 000017
【図１７】
0005985016.tif 000018
【図１８】
0005985016.tif 000019
【図１９】
0005985016.tif 000020
【図２０】
0005985016.tif 000021